【事件の表示】
　平成　７年特許願第３２０９１８号「磁気ヘッド装置及びそれを用いた記録装置」拒絶査定不服審判事件〔平成　９年　６月２０日出願公開、特開平　９−１６１４２８〕について、次のとおり審決する。
【結　論】
　本件審判の請求は、成り立たない。
【理　由】
１．手続の経緯
　本願は、平成７年１２月８日に出願したものであって、平成１６年１月２９日付けで手続補正がなされ、その後、平成１６年４月２０日付けで拒絶査定がなされ、これに対し、同年５月２７日に拒絶査定不服審判が請求なされるとともに、同年６月２８日付けで手続補正がなされたものである。
　
２．平成１６年６月２８日付けの手続補正についての補正却下の決定
　
　［補正却下の決定の結論］
　　平成１６年６月２８日付けの手続補正（以下、「本件補正」という。）を却下する。
　
　［理由］
　（１）補正後の本願発明
　本件補正により、特許請求の範囲の請求項１は、
「記録媒体に磁気的に作用する磁気ヘッドと、
　前記磁気ヘッドが一端部に保持されるとともに、剛性を付与する複数のリブが表面に突設された連接部と、該連接部の他端部に連接されるとともに、開口部を有するサスペンション部とからなる板バネ部と、
　前記板バネ部の前記サスペンション部に設けられた開口部の平面内に突出するように前記バネ部に形成される突出部と、
　前記サスペンション部と連接され、前記板バネ部を保持する保持部材と、
　前記保持部材の上面側から前記開口部を介して前記記録媒体が配置される方向に下降し、前記突出部の下面側を通過した後、前記開口部を介して前記連接部の上面側の上記リブの間に配設される配線部材とを有することを特徴とする磁気ヘッド装置。」と補正された。
　
　なお、請求項１には「前記バネ部」と記載されているが、「前記バネ部」以前に「バネ部」の記載は認められず、「前記バネ部」は「前記板バネ部」の誤記と認め、以下そのように認定する。
　
　上記補正は、請求項１に記載した発明を特定するために必要な事項である「連接部」について、「剛性を付与する複数のリブが表面に突設された」と、さらに、発明を特定するために必要な事項である「突出部」について、「開口部の平面内に突出するように板バネ部に」形成されるとの限定を付加し、また、発明を特定するために必要な事項である「配線部材」について、「上面側のリブの間」に配設されるとの限定を付加するものであって、特許法１７条の２第４項２号の特許請求の範囲の減縮を目的とするものに該当する。
　そこで、本件補正の前記請求項１に記載された発明（以下、「本願補正発明」という。）が特許出願の際独立して特許を受けることができるものであるか（特許法第１７条の２第５項において準用する同法第１２６条第５項の規定に適合するか否か）について以下に検討する。
　
　（２）引用例
　（２）−１
　原査定の拒絶の理由に引用された特開平７−２９６３５３号公報（平成７年１１月１０日公開。以下、「引用例１」という。）には、磁気ヘッド装置について、図面とともに以下の事項が記載されている（下線は、当審で付した）。
「【００３６】本実施例の
磁気ヘッド装置
磁気ヘッド４の組み込まれるスライダー３と、前記スライダーの支持部材であるサスペンション２と、前記サスペンション２の支持部材であるヘッドアーム１と、前記磁気ヘッド４に接続されるフレキシブルプリント基板１８と、前記サスペンション２の下方に独立して設けられる跳ね上げレバー５よりなる
「【００３８】また、上記サスペンション２は、一端がヘッドアーム１に取り付けられ、他の一端にスライダー３が取り付けられる。そして、
ヘッドアーム取り付け端２ａ側に設けられる板バネである第１のバネ部１０と、両側縁に立ち上がり板１２が設けられる剛体部１１と、スライダー取り付け端２ｂ側に設けられる第２のバネ部１３により構成されている。
スライダー３は第２のバネ部１３の切り込み部１４により形成された板部１３ａに固定されて取り付けられ
　【００３９】また、
上記ヘッドアーム１は、サスペンション２との接続部である接続部６と、該接続部６の片方の側部６ａからサスペンション２延在方向に対して平行に延びるように設けられるアーム部８
ストッパー部９により構成され
フレキシブルプリント基板高さ規制機構として、アーム部８からサスペンション２の第１のバネ部１０上にサスペンション延在方向に対して垂直に延びるフレキシブルプリント基板高さ規制バー８ａが設けられている。
　【００４０】また、上記
フレキシブルプリント基板１８は、一端が前記磁気ヘッド４の端子部４ａに接続され、前記端子部４ａからサスペンション２上及びヘッドアーム１上を通るように配される。そして、他端はヘッドアーム１上からさらに延びて、本磁気ヘッド装置外部との接続用の接点（図示せず）となる。
サスペンション２上では、前記フレキシブルプリント基板高さ規制バー８ａの下を通るようなっており、このフレキシブルプリント基板高さ規制バー８ａより上には浮き上がらない
「【００４５】そして、情報の記録を行わない場合や
光磁気ディスク
　【００４６】このとき、フレキシブルプリント基板１８は、フレキシブルプリント基板高さ規制バー８ａにより押さえつけられるので、これよりも上に浮き上がることがない。
　【００４７】そして、サスペンション２とともにスライダー３がある位置まで持ち上げられると、スライダー３の摺動補助部１６にヘッドアーム１のストッパー部９が接触する。さらに、サスペンション２が持ち上げられると、スライダー３の摺動補助部１６とヘッドアーム１のストッパー部９との接触部を中心に、スライダー３は回動し、スライダー３と光磁気ディスク２３と平行に設けられたヘッドアーム１とは略平行な姿勢を保持することとなる。
　【００４８】従って、本磁気ヘッド装置において必要とされる厚さは、フレキシブルプリント基板１８の浮き上がりを考慮する必要がなく、スライダー３と光磁気ディスク２３の接触を防止するために必要とされる厚さＨ1 と、磁気ヘッドの端子部４ａからスライダーの最低面３ａまでの距離（ほぼスライダー３の厚さ）Ｈ2 の和だけとなる。」
　図１には、サスペンション２の第１のバネ部１０に略矩形開口を有し、該矩形開口上にフレキシブルプリント基板高さ規制バー８ａが図示されている。また、フレキシブルプリント基板１８が図示されている。
　
　以上の記載によれば、引用例１には、
「磁気ヘッドの組み込まれるスライダーと、
　前記スライダーの支持部材であるサスペンションと、
　前記サスペンションの支持部材であるヘッドアームと、
　前記磁気ヘッドに接続されるフレキシブルプリント基板と、
　前記サスペンションの下方に独立して設けられる跳ね上げレバーよりなる磁気ヘッド装置において、
　前記サスペンションは、ヘッドアーム取り付け端側に設けられる板バネである第１のバネ部と、両側縁に立ち上がり板が設けられる剛体部と、スライダー取り付け端側に設けられる第２のバネ部により構成され、前記スライダーは第２のバネ部の切り込み部により形成された板部に固定されて取り付けられ、
　前記ヘッドアームは、前記サスペンションとの接続部である接続部と、該接続部の片方の側部から前記サスペンション延在方向に対して平行に延びるように設けられるアーム部と、ストッパー部とにより構成され、前記アーム部から前記サスペンションの前記第１のバネ部上に前記サスペンション延在方向に対して垂直に延びるフレキシブルプリント基板高さ規制バーが設けられ、
　前記フレキシブルプリント基板は、一端が前記磁気ヘッドに接続され、前記サスペンション上及び前記ヘッドアーム上を通るように配され、前記サスペンション上では、前記フレキシブルプリント基板高さ規制バーの下を通り、前記フレキシブルプリント基板高さ規制バーより上には浮き上がらない磁気ヘッド装置。」の発明（以下「引用例１の発明」という。）が記載されている。
　
　（２）−２
　原査定の拒絶の理由に引用された実願平１−２２６１８号（実開平２−１１３８１２号）のマイクロフィルム（以下、「引用例２」という。）には、磁気ディスク装置用サスペンション組立体について、従来例として図面と共に、以下の事項が記載されている（下線は、当審で付した）。
「従来の磁気ディスク装置用組立体は、第４図（ａ），（ｂ）に示すように、弾性体板状のサスペンション２０1の一端部に磁気変換素子（コア）２３が設けられれ、・・・（中略）・・・これらの
サスペンション２０
１
，２０
2
は、それぞれ貫通孔２５
1
，２５
2
を有し、さらに、貫通孔２５
1
，２５
2
の周縁部から突出するＬ字状の押え部材２６
1
，２６
2
を有している。
２本の導電線２２
1
，２２
2
は、肉厚のチューブ２４
1
が被覆されて、一部分がサスペンション２０
1
に沿って、不図示の磁気カードアッセンブラに通じており、かつ一部が貫通孔２５
1
に押し込まれて、押え部材２６
1
によりサスペンション２０
１
に支持されている
　
　（３）対比
　そこで、本願補正発明と引用例１の発明とを比較する。
　引用例１の発明の「磁気ヘッド」は、光磁気ディスクに磁気的に作用するから、本願補正発明の、「記録媒体に磁気的に作用する磁気ヘッド」に相当する。引用例１の発明と本願補正発明は、「磁気ヘッド装置」の発明で一致する。
　
　引用例１の発明の、「磁気ヘッド」の組み込まれたスライダーの支持部材である「サスペンション」は、磁気ヘッドを保持する点において、本願補正発明の、「磁気ヘッド」が一端部に保持される「板バネ部」に相当する。
　次に、引用例１の発明の「サスペンション」と、本願補正発明の「板バネ部」の構成について対比する。
　引用例１の発明の、「サスペンション」において、「スライダー取り付け端側に設けられる第２のバネ部」は、スライダー（磁気ヘッド）が固定されるから、本願補正発明における、「磁気ヘッドが一端部に保持される」部分に相当する。
　引用例１の発明の、「サスペンション」の「第２のバネ部」に接する「剛体部」は、本願補正発明における「板バネ部」の、剛性の付与された「連接部」に相当する。
　引用例１の発明の「サスペンション」の、「ヘッドアーム取り付け端側に設けられる板バネである第１のバネ部」は、略矩形開口を有する弾性部分（（２）−１．図１参照）であるから、本願補正発明の「開口部を有するサスペンション部」に相当する。
　そうすると、引用例１の発明の「サスペンション」は、本願補正発明の「磁気ヘッドが一端部に保持されるとともに」、「連接部」と、「該連接部の他端部に連接されるとともに、開口部を有するサスペンション部」とからなる「板バネ部」に相当する。
　
　引用例１の発明の、「サスペンション」の支持部材である「ヘッドアーム」は、本願補正発明の、「板バネ部を保持する保持部材」における「保持部材」に相当する。
　引用例１の発明の「ヘッドアーム」は、「サスペンションとの接続部である接続部」において、「第１のバネ部」と接続している（（２）−１．図１〜３参照）から、本願補正発明において、「保持部材」の「サスペンション部と連接され」た構成に相当する。
　ところで、本願補正発明における「保持部材」は、本願の発明の詳細な説明には、「【００１５】【発明の実施の形態】図１に本発明の磁気ヘッド装置の一実施例の構成図を示す。図１（Ａ）は上面図、（Ｂ）は正面図を示す。本実施例の磁気ヘッド装置１は、請求項の磁気ヘッドに相当し、ディスクに記録磁界を供給する磁気ヘッド２、請求項の板バネ部に相当し、磁気ヘッドを保持する支持アーム３、請求項の
保持部材
　
　引用例１の発明の、「ヘッドアーム」における「アーム部からサスペンションの第１のバネ部上にサスペンション延在方向に対して垂直に延びるフレキシブルプリント基板高さ規制バー」は、「第１のバネ部」の略矩形開口上に突出している形状（（２）−１．図１，２参照）において、本願補正発明における、「板バネ部のサスペンション部に設けられた開口部」に突出するように形成される「突出部」に相当する。
　
　引用例１の発明の「フレキシブルプリント基板」は、「一端が磁気ヘッドに接続され、サスペンション及びヘッドアーム上を配される」から、本願補正発明の、「保持部材の上面側から」配設される「配線部材」に相当する。
　引用例１の発明の「フレキシブルプリント基板」は、「サスペンション上では、フレキシブルプリント基板高さ規制バーの下を通り、フレキシブルプリント基板高さ規制バーより上には浮き上がらない」構成である。そして、情報の記録を行わない場合や光磁気ディスクの出し入れを行う場合には、「フレキシブルプリント基板」は、「第１のバネ部」の略矩形開口部分では、フレキシブルプリント基板高さ規制バーのため、光磁気ディスク方向に下降する（上記（２）−１の図３、【００４５】【００４６】【００４７】参照）から、本願補正発明における「保持部材の上面側から開口部を介して記録媒体が配置される方向に下降し、突出部の下面側を通過した後、前記開口部を介して連接部の上面側に配設される配線部材」に相当する。
　
　してみると、両者は、以下の一致点と相違点を有する。
〈一致点〉
「記録媒体に磁気的に作用する磁気ヘッドと、
　前記磁気ヘッドが一端部に保持されるとともに、連接部と、該連接部の他端部に連接されるとともに、開口部を有するサスペンション部とからなる板バネ部と、
　前記板バネ部の前記サスペンション部に設けられた開口部に突出するように形成される突出部と、
　前記サスペンション部と連接され、前記板バネ部を保持する保持部材と、
　前記保持部材の上面側から前記開口部を介して前記記録媒体が配置される方向に下降し、前記突出部の下面側を通過した後、前記開口部を介して前記連接部の上面側に配設される配線部材と
　を有することを特徴とする磁気ヘッド装置。」
　
〈相違点〉
（ア）
　連接部の剛性を付与するために、本願補正発明では、「複数のリブが表面に突設され」、配線部材が「リブの間に」配設されるのに対して、引用例１の発明では、リブについて記載されていない点。
（イ）
　サスペンション部に設けられた開口部に突出する突出部が、本願補正発明では、開口部の「平面内に」、「板バネ部」に形成されると特定されているのに対して、引用例１の発明では、そのように特定されていない点。
　
　（４）判断
　上記相違点について検討する。
　相違点（ア）
　剛性を付与するために表面にリブを突設して、リブの間に配線部材を配設した板ばねを有する磁気ヘッド装置は、周知（実願平１−８３２７６号（実開平３−２３８１１号）のマイクロフィルム；第１，２図のリブ１３，１４と導線４、特開平４−２６９１３号公報；第１乃至第４図の内側リブ部２３，２４とリード線１２，１３、特開平６−２８８０１号公報；図１，４，６１３のリブ１３，２３，３３，８３とプリントシート１５，２５，３５，８５等参照）であり、引用例１の発明においての剛体部に、リブを表面に複数突設して剛性を付与し、リブの間にフレキシブルプリント基板配を配設することは、当業者が容易になし得たことと認められる。
　相違点（イ）
　引用例２には、導電線を板ばね材に保持するために、開口の周縁部から突出する押え部材を板ばね材に有する磁気ディスク装置が記載されている。また、板ばね材に開口の周縁部から突出する突出部を設け、導電線を保持する構成は、相違点（ア）で示した上記実願平１−８３２７６号（実開平３−２３８１１号）のマイクロフィルム（第３図参照）、特開平４−２６９１３号公報（第８，９図参照）、特開平６−２８８０１号公報（図１８，１９）にも記載されているように周知である。
　してみれば、引用例１の発明において、フレキシブルプリント基板がサスペンションに保持されて、浮き上がりが防止されるように、第１のバネ部（本願補正発明の「サスペンション部」に相当）に設けられた略矩形開口（（２）−１．図１参照）の平面内に突出するように当該第１のバネ部に突出部を形成することは、当業者が適宜になし得ることと認められる。
　
　結局、前記各相違点は、格別なものではなく、また、前記相違点を総合的に検討しても奏される効果は当業者が当然に予測できる範囲内のものと認められる。
　
　したがって、本願補正発明は、引用例１，２に記載された発明に基づいて、当業者が容易に発明をすることができたものであるから、特許法第２９条第２項の規定により特許出願の際独立して特許を受けることができないものである。
　
　（５）むすび
　以上のとおり、本本件補正は、特許法第１７条の２第５項において準用する同法第１２６条第５項の規定に違反するので、特許法第１５９条第１項の規定において読み替えて準用する同法第５３条第１項の規定により却下すべきものである。
　
３．本願発明について
　平成１６年６月２８日付けの手続補正は上記のとおり却下されたので、本願の請求項１乃至４に係る発明は、平成１６年１月２９日付け手続補正書の特許請求の範囲の請求項１乃至４に記載されたものと認められるところ、その請求項１に記載された発明（以下、「本願発明」という。）は、次のとおりのものである。
「記録媒体に磁気的に作用する磁気ヘッドと、
　前記磁気ヘッドが一端部に保持されるとともに、リブを有する連接部と、該連接部の他端部に連接されるとともに、開口部を有するサスペンション部とからなる板バネ部と、
　前記板バネ部の前記サスペンション部に設けられた前記開口部に形成され
る突出部と、
　前記サスペンション部と連接され、前記板バネ部を保持する保持部材と、
　前記保持部材の上面側から前記開口部を介して前記記録媒体が配置される方向に下降し、前記突出部の下面側を通過した後、前記開口部を介して前記連接部の上面側に配設される配線部材とを有することを特徴とする磁気ヘッド装置。」
　
　（１）引用例
　原査定の拒絶の理由に引用された引用例とその記載事項は、前記「２．（２）」に記載したとおりである。
　
　（２）対比・判断
　本願発明は、前記「２．」で検討した本願補正発明から「連接部」の限定事項である「剛性を付与する複数のリブが表面に突設された」との構成を省き、さらに本願補正発明から「突出部」の限定事項である「開口部の平面内に突出するように板バネ部に」との構成を省き、またさらに本願補正発明から「配線部材」の限定事項である「上面側のリブの間」に配設されるとの構成を省いたものである。
　そうすると、本願発明の構成要件をすべて含み、さらに他の構成要件を付加したものに相当する本願補正発明が、前記「２．（４）」に記載したとおり、引用例１，２に基づいて、当業者が容易に発明をすることができたものであるから、本願発明も同様の理由により、引用例１，２に基づいて、当業者が容易に発明をすることができたものである。
　
　（３）むすび
　以上のとおり、本願発明は、引用例１，２に記載された発明に基づいて、当業者が容易に発明をすることができたものであるから、特許法第２９条第２項の規定により特許を受けることができない。
　したがって、本願は、他の請求項について検討するまでもなく、拒絶すべきものである。
　よって、結論のとおり審決する。